(57)【要約】【課題】複数の携帯端末を同時に制御できるようにする。【解決手段】設定された発呼時刻（ＨＨ時ＭＭ分）になると、携帯端末制御装置は、設定された着信電話番号（０９０ＡＢＣＤＥＦＧＨ）に対して発呼するよう携帯端末１３−１〜１３−ｎに対して指示を出す。携帯端末１３−１〜１３−ｎは、この指示を受けると同時にＭＮＷ１９を経由して他の携帯端末２０に発呼する。携帯端末制御装置は、携帯端末１３−１〜１３−ｎから通話中表示を受信すると、通話時間の計測を開始する。携帯端末制御装置は、設定された通話時間（ＳＳ秒）に到達すると同時に携帯端末１３−１〜１３−ｎに切断指示を出す。携帯端末１３−１〜１３−ｎは、ＭＮＷ１９を経由して携帯端末２０に切断指示を出し、携帯端末２０は、切断確認を受信する。【選択図】　　　　図２
2004048373.tif 000002
【特許請求の範囲】
【請求項１】
携帯端末を接続するための複数の携帯端末インタフェースと、
制御ホストを接続するための制御ホストインタフェースと、
前記制御ホストインタフェースに接続された制御ホストの指示に応じて、前記複数の携帯端末インタフェースにそれぞれ接続された複数の携帯端末からの発着信の制御を同時に行う手段とを具えることを特徴とする携帯端末制御装置。
【請求項２】
前記複数の携帯端末インタフェースにそれぞれ接続された複数の携帯端末をそれぞれ識別する識別手段を更に具えることを特徴とする請求項１記載の携帯端末制御装置。
【請求項３】
前記複数の携帯端末インタフェースにそれぞれ接続された複数の携帯端末の発着信状態をそれぞれ一時的に記憶し、前記制御ホストインタフェースに接続された制御ホストの要求に応じて前記発着信状態を読み出す記憶及び読出し手段を更に具えることを特徴とする請求項１又は２記載の携帯端末制御装置。
【請求項４】
前記複数の携帯端末インタフェースにそれぞれ接続された複数の携帯端末の発着信シーケンス記述を予め設定する記述設定手段を更に具えることを特徴とする請求項１から３のうちのいずれか１項に記載の携帯端末制御装置。
【請求項５】
前記複数の携帯端末インタフェースにそれぞれ接続された複数の携帯端末の発着信の指定を、前記識別手段による識別に基づいて料金プランごとに設定する料金プラン設定手段を更に具えることを特徴とする請求項２から４のうちのいずれか１項に記載の携帯端末制御装置。
【請求項６】
遠隔からの音声を中継するよう遠隔制御拠点に接続するための遠隔音声中継インタフェースを更に具えることを特徴とする請求項１から５のうちのいずれか１項に記載の携帯端末制御装置。
【発明の詳細な説明】
【０００１】
【発明の属する技術分野】
本発明は、携帯端末（例えば、携帯電話）を使用して、携帯端末インフラストラクチャの接続や、品質を試験するシステムに用いるために、複数の携帯端末の発着信を制御する携帯端末制御装置に関するものである。
【０００２】
【従来の技術】
近年の携帯電話の普及にはめざましいものがあり、第三世代携帯電話のサービス開始などのネットワークの新設拡張などは、常に変化している。このような環境においては、システム開発や、ネットワークの品質管理をいかに効率よく実施するかが重要なファクタとなってくる。
【０００３】
従来、実端末を使用した発着信試験は、手動によって実施され、又はパーソナルコンピュータなどを使用して１台の携帯端末を接続し、それを制御することによって実施している。
【０００４】
【発明が解決しようとする課題】
しかしながら、発着信試験を手動によって実施する場合、発着信呼数、種別、通話時間等の管理をオペレータの操作によって実施しているので、呼数が増大するに従ってオペレータの人数を増やす必要がある。また、オペレータによる管理では、誤差などが生じるおそれが高くなり、正確な判定を行うことが困難となるおそれがある。
【０００５】
例えば、携帯端末のネットワークの品質を確認するためには、無線基地局がカバーする地域に携帯端末を移動し、携帯端末が移動した位置から発着信を行う必要がある。その結果、携帯端末を制御するためのオペレータを試験場所、いわゆる現場に配置する必要がある。
【０００６】
また、発着信を記録するためには、携帯端末を制御するオペレータがパーソナルコンピュータにデータを入力する必要がある。一方、料金設定などの関係から指定時刻に発着信を行う必要がある場合、真夜中に試験場所に出向いて作業を行うおそれがある。
【０００７】
さらに、パーソナルコンピュータなどを使用した携帯端末の制御では、パーソナルコンピュータのＯＳ等の制約から複数の携帯端末の同時の制御が実施されていないのが現状である。
【０００８】
本発明の目的は、複数の携帯端末を同時に制御することができる携帯端末制御装置を提供することである。
【０００９】
【課題を解決するための手段】
本発明による携帯端末装置は、
携帯端末を接続するための複数の携帯端末インタフェースと、
制御ホストを接続するための制御ホストインタフェースと、
前記制御ホストインタフェースに接続された制御ホストの指示に応じて、前記複数の携帯端末インタフェースにそれぞれ接続された複数の携帯端末からの発着信の制御を同時に行う手段とを具えることを特徴とする。
【００１０】
本発明によれば、制御ホストインタフェースに接続された制御ホストの指示に応じて、複数の携帯端末インタフェースにそれぞれ接続された複数の携帯端末からの発着信の制御を同時に行う。これによって、オペレータによる発着信の制御に起因する不都合やパーソナルコンピュータのＯＳ等の制約を有することなく、複数の携帯端末を同時に制御することができる。また、多量の呼を発生させることができるので、発着信試験（ネットワーク試験）を短時間で行うことができる。なお、各携帯端末に対する制御は、各携帯端末に制御コードを送信することによって行われる。
【００１１】
好適には、前記複数の携帯端末インタフェースにそれぞれ接続された複数の携帯端末をそれぞれ識別する識別手段を更に具える。これによって、それぞれの携帯端末の識別を容易に行うことができ、複数の携帯端末からの発着信の制御を更に良好に行うことができる。携帯端末の識別は、例えば、携帯端末のコード（例えば、電話番号）を読み取るよう制御ホストからの指示があると、携帯端末のコードを読み取り、読み取ったコードを、携帯端末インタフェースごとに管理することによって行う。
【００１２】
好適には、前記複数の携帯端末インタフェースにそれぞれ接続された複数の携帯端末の発着信状態をそれぞれ一時的に記憶し、前記制御ホストインタフェースに接続された制御ホストの要求に応じて前記発着信状態を読み出す記憶及び読出し手段を更に具える。
【００１３】
これによって、複数の携帯端末インタフェースにそれぞれ接続された複数の携帯端末の発着信履歴を、必要に応じて参照できるようになる。その結果、発着信の記録の間違いがほとんどなくなり、かつ、更なる省力化が図られ、複数の携帯端末からの発着信の制御が更に良好に行われるようになる。
【００１４】
好適には、前記複数の携帯端末インタフェースにそれぞれ接続された複数の携帯端末の発着信シーケンス記述を予め設定する記述設定手段を更に具える。これによって、着信先電話番号、発信時刻、切断時刻、応答時刻等の携帯端末の発着信制御に必要な情報を発着信シーケンス記述、いわゆるシナリオセットに設定することができるので、指定した時間に指定した制御端末に対して指定した時間通信を行うことができるようになり、オペレータを介することなく発着信の制御を行えるようなる。その結果、更なる省力化が図られ、複数の携帯端末からの発着信の制御が更に良好に行われるようになる。
【００１５】
好適には、前記複数の携帯端末インタフェースにそれぞれ接続された複数の携帯端末の発着信の指定を、前記識別手段による識別に基づいて料金プランごとに設定する料金プラン設定手段を更に具える。
【００１６】
移動通信業者は、サービス上各種料金プランを設定している。単位料金で通話可能な時間が各種料金プランによって互いに相違するので、携帯端末からの通話時間を一律に設定した場合、料金プランによる差を確認できないことがある。
【００１７】
本例では、各種料金プランが設定された携帯端末を携帯端末インタフェースにそれぞれ接続し、識別手段によって識別された携帯端末と料金プランとの対応付けが可能となり、単位時間の通話可能時間が互いに相違する複数の携帯端末の各々に対して互いに相違する通話時間を設定することによって、料金の確認を効率よく行えるようになり、その結果、複数の携帯端末からの発着信の制御が更に良好に行われるようになる。
【００１８】
好適には、遠隔からの音声を中継するよう遠隔制御拠点に接続するための遠隔音声中継インタフェースを更に具える。移動通信サービスにおいては、各種ガイダンスに従い、ボタン操作を行ってサービスシーケンスを進める仕様になっているものが多数存在する。これら移動通信サービスに対して、呼を発生させるためには、ガイダンスの内容を認識する必要がある。遠隔操作によって呼を発生させるためには、ガイダンスの内容を遠隔制御拠点（例えば、試験場所）で確認できるようにする必要がある。
【００１９】
本例では、ガイダンスの内容を遠隔制御拠点で確認できるようにするために、遠隔音声中継インタフェースを設けている。これによって、遠隔音声中継インタフェースに携帯端末からのアナログ音声を接続し、携帯端末で受信したガイダンスを遠隔制御拠点のような遠隔地に中継し、確認を行うことができ、複数の携帯端末からの発着信の制御が更に良好に行われるようになる。なお、サービスシーケンスは、確認結果に基づいて、携帯端末のボタン操作を行うためのコマンドを制御ホストから発行することによって進められる。
【００２０】
【発明の実施の形態】
本発明による携帯端末装置の実施の形態を、図面を参照して詳細に説明する。
図１は、本発明による携帯端末制御装置の実施の形態を示す図である。この携帯端末装置は、制御プロセッサ（ＭＰＵ）１と、ＥＰＲＯＭ２と、ＲＡＭ３と、ＦＲＡＭ４と、ＬＡＮインタフェース（ＬＡＮＩＦ）５と、ＩＳＤＮ基本インタフェース（ＢＲＩ）６と、装置初期データ設定用のシリアルインタフェース（ＳＲＩ）７と、アナログスイッチ（ＡＳＷ）８と、時刻管理用のリアルタイムクロック９と、携帯端末制御用インタフェース（ＴＩＦ）１０−１〜１０−ｎと、これらを接続するバス１１と、電源１２とを具える。
【００２１】
ＭＰＵ１は、携帯端末制御装置の全体的な制御を行う。本実施の形態では、ＥＰＲＯＭ２を、プログラムブート用のメモリとし、ＲＡＭ３を、プログラム実行及び作業用メモリとし、ＦＲＡＭ４をプログラム格納用メモリとする。
【００２２】
ＴＰＯＷ８は、ＴＩＦ１０−１〜１０−ｎを通じて携帯端末（携帯電話）１３−１〜１３−ｎに常時電力を供給する。ＡＳＷ８は、携帯端末１３−１〜１３−ｎからのアナログ信号をＢＲＩ６に接続するためのものである。なお、本実施の形態の携帯端末制御装置が動作する環境は、通常の蓄積プログラム制御で動作する装置と同様である。
【００２３】
携帯端末１３−１〜１３−ｎはそれぞれ、ＴＩＦ１０−１〜１０−ｎに有線接続され、ＳＲＩ７によって各種コマンド制御が行われる。音声については、同インタフェース内のアナログ信号によって実現される。
【００２４】
ＬＡＮＩＦ５には、ＷＡＮ１４経由で遠隔地（遠隔制御拠点）の制御ホスト１５に接続されている。なお、制御ホスト１２は、ＬＡＮやＷＡＮに接続する構成を有する。ＬＡＮに関する接続情報は、初期設定用端末１６からＳＲＩ７を経由して提供され、必要なデータは、ＦＲＡＭに設定され、ＬＡＮ上の接続制御に使用される。
【００２５】
携帯端末１３−１〜１３−ｎの制御は、ＭＰＵ１がＴＩＦ１０−１〜１０−ｎを制御することによって行われる。携帯端末１３−１〜１３−ｎの音声は、ＡＳＷ８で選択され、ＢＩＲ６に接続される。ＡＳＷ８では、複数のＴＩＦ１０−１〜１０−ｎとＢＲＩ６の２本のＢチャネルに対し、マトリックス上にスイッチできるようにし、携帯端末１３−１〜１３−ｎのいずれからもＢＲＩ６への接続を可能としている。ＢＲＩ６は、ＭＰＵ１からの制御により、ＩＳＤＮ網１７を経由して遠隔地の電話機１８への接続を可能としている。呼制御手順は、公知の手順に従っている。
【００２６】
本実施の形態では、後に詳細に説明するように、制御ホスト１５は、着信先電話番号、発信時刻、切断時刻、応答時刻等の携帯端末の発着信制御に必要な情報を発着信シーケンス記述、いわゆるシナリオセットに設定し、ＲＴＣ９の時刻管理によって各種の接続制御を実行する。
【００２７】
また、移動体通信網（ＭＮＷ）１９を経由して携帯端末１３−１〜１３−ｎと通信を行う他の携帯端末（携帯電話）２０は、端末制御装置（ＴＣＮＴＥ）２１を経由してＬＡＮＩＦ５に接続する。
【００２８】
本実施の形態の動作を説明する。
図２は、本実施の形態のシステム全体における制御シーケンスの一例を示す図である。この場合、先ず、発呼時刻（ＨＨ時ＭＭ分）、着信電話番号（０９０ＡＢＣＤＥＦＧＨ）及び通話時間（ＳＳ秒）を、制御ホスト１５から携帯端末制御装置に設定する。
【００２９】
設定された発呼時刻（ＨＨ時ＭＭ分）になると、携帯端末制御装置は、設定された着信電話番号（０９０ＡＢＣＤＥＦＧＨ）に対して発呼するよう携帯端末１３−１〜１３−ｎに対して指示を出す。
【００３０】
携帯端末１３−１〜１３−ｎは、この指示を受けると同時にＭＮＷ１９を経由して他の携帯端末２０に発呼する。携帯端末制御装置は、携帯端末１３−１〜１３−ｎから通話中表示を受信すると、通話時間の計測を開始する。
【００３１】
携帯端末制御装置は、設定された通話時間（ＳＳ秒）に到達すると同時に携帯端末１３−１〜１３−ｎに切断指示を出す。携帯端末１３−１〜１３−ｎは、ＭＮＷ１９を経由して携帯端末２０に切断指示を出し、携帯端末２０は、切断確認を受信する。携帯端末制御装置は、これら一連のシーケンスに対して発信記録を図示しないメモリ上に記憶する。制御ホスト１５は、結果収集指示により発信記録を収集する。
【００３２】
図３は、本実施の形態の携帯端末における制御シーケンスの一例を示す図である。携帯端末１３−１〜１３−ｎの制御シーケンスは、図示しない公知の端末制御外部インタフェースによって実行される。携帯端末１３−１〜１３−ｎと形態制御端末との間の各信号の伝送については、図４に示した信号フォーマットによって行われる。
【００３３】
発信側は、先ず、フックスイッチ［開始］を指示し、これに続けて着信先電話番号を示すダイヤルをｎ桁分送信し、最後にダイヤル完了を送信する。これによって、発信側の携帯端末１３−１〜１３−ｎからネットワークへの接続が行われる。なお、発信側の携帯端末１３−１〜１３−ｎからは、通話中表示［ＯＮ］が携帯端末制御端末装置に送信される。
【００３４】
ネットワークから着信側の携帯端末１３−１〜１３−ｎに着信すると、着信表示［ＯＮ］が携帯端末１３−１〜１３−ｎから携帯端末制御装置に送信され、これに続けて、発信番号を通知するための発番号通知、ｎ桁分のダイヤル及びダイヤル完了が送信され、更に続けて、着番号通知、ｎ桁分のダイヤル及びダイヤル完了が送信される。
【００３５】
その後、携帯端末制御装置は、応答のためのフックスイッチ［開始］を送信する。これによって、発着信端末間は通話状態となり、着信側の携帯端末１３−１〜１３−ｎには、携帯端末制御装置から着信表示［ＯＦＦ］及び通話中表示［ＯＮ］が送信される。
【００３６】
通話を終了するシーケンスについては、発信側から切断する場合について示しており、この場合、携帯端末制御装置から発信側の携帯端末１３−１〜１３−ｎにフックスイッチ［終了］を送信する。これによって、ネットワークへの切断が通知される。発信側の携帯端末１３−１〜１３−ｎからは通話中表示［ＯＦＦ］が携帯端末制御装置に送信され、これに続けて、料金通知、ダイヤル［料金］及びダイヤル完了が送信され、最後に理由通知が送信される。
【００３７】
一方、着信側においては、ネットワークからの切断を受け、携帯端末１３−１〜１３−ｎからの通話中表示［ＯＦＦ］及び理由通知が携帯端末制御装置に送信される。
【００３８】
上記実施の形態によれば、従来オペレータによって実施されていた携帯端末を使用した発着信試験を、１個の携帯端末制御装置によって複数の携帯端末を制御し、指定した時刻及び電話番号に指定した通話時間だけ通話を行い、その結果をデータとして記憶し、必要時に参照できるようにしているので、ネットワークの正常性試験の効率を大幅に向上することができる。
【００３９】
また、携帯端末制御装置及び携帯端末を予め試験場所（現場）に設置し、ネットワーク接続を行うことによって、携帯端末を遠隔地から制御し、各種呼を発生させることができ、その結果を遠隔地から収集することができるので、大幅な省力化が可能となる。
【００４０】
図５は、本発明による携帯端末制御装置の他の実施の形態を示す図である。本実施の形態の携帯端末制御装置は、ガイダンスを確認することによって呼シーケンスを進める必要がある呼種別を遠隔地から実行することに対応するものである。
【００４１】
この場合、制御ホスト３１から呼制御を実施するとともに、携帯端末３２からのアナログインタフェースを、ＩＳＤＮ３３を経由して遠隔地の電話機３４に接続することによって、遠隔地からのガイダンスを確認しながら呼シーケンスを確認することができる。
【００４２】
図６は、本発明による携帯端末制御装置の他の実施の形態を示す図である。本実施の形態の携帯端末制御装置は、制御ホストとのインタフェースを移動パケット網に代えるとともに、音声インタフェースを移動電話網に代えたものである。
【００４３】
このようにネットワークを移動パケット通信に代えるとともに、アナログインタフェースを携帯端末に代えることによって、遠隔制御のためのインタフェースが全て無線系となるので、設置場所に拘束されない構成が可能となり、自動車などに搭載した運用が可能となるので、エリアフリーのネットワーク品質確認が可能となり、迅速なネットワーク管理が可能となる。
【００４４】
本発明は、上記実施の形態に限定されるものではなく、幾多の変更及び変形が可能である。
例えば、上記実施の形態において、携帯端末が携帯電話である場合について説明したが、パーソナルハンディホンシステム（ＰＨＳ）のような他の種類の携帯端末を使用する場合についても、本発明を適用することができる。
【００４５】
また、ＷＡＮの代わりにＬＡＮを使用することや、ＩＳＤＮ網の変わりにアナログ回線を使用することもできる。さらに、図１において、携帯端末２０を端末制御装置ＴＣＮＴＥ２１及び広域ネットワークＷＡＮ１４を経由して制御ホスト１５に接続する場合について説明したが、移動パケット網経由で接続することもできる。
【図面の簡単な説明】
【図１】本発明による携帯端末制御装置の実施の形態を示す図である。
【図２】本実施の形態の制御シーケンスの一例を示す図である。
【図３】本実施の形態のシステム全体における制御シーケンスの一例を示す図である。
【図４】図３において携帯端末と端末制御装置との間で伝送する信号フォーマットを示す図である。
【図５】本発明による携帯端末制御装置の他の実施の形態を示す図である。
【図６】本発明による携帯端末制御装置の他の実施の形態を示す図である。
【符号の説明】
１　制御プロセッサ（ＭＰＵ）
２　ＥＰＲＯＭ
３　ＲＡＭ
４　ＦＲＡＭ
５　ＬＡＮインタフェース（ＬＡＮＩＦ）
６　ＩＳＤＮ基本インタフェース（ＢＲＩ）
７シリアルインタフェース（ＳＲＩ）
８　アナログスイッチ（ＡＳＷ）
９　リアルタイムクロック
１０−１〜１０−ｎ　携帯端末制御用インタフェース
１１　バス
１２　電源
１３−１〜１３−ｎ，２０，３２　携帯端末（携帯電話）
１４　ＷＡＮ
１５，３１　制御ホスト
１６　初期設定用端末
１７，３３　ＩＳＤＮ網
１８，３４　電話機
１９　移動体通信網（ＭＮＷ）
２１　端末制御装置（ＴＣＮＴＥ）
【図１】
2004048373.tif 000003
【図２】
2004048373.tif 000004
【図３】
2004048373.tif 000005
【図４】
2004048373.tif 000006
【図５】
2004048373.tif 000007
【図６】
2004048373.tif 000008